(57)【要約】【課題】革巻きハンドルにおいて、その皮革部分に高品質の立体マークが形成されたものとする。【解決手段】シート状皮革からカットピースを打ち抜き、該カットピースを金型を用いてハンドル本体のリング部やスポーク部の形状に対応するＡ、Ｂ等の成形部を有する３次元形状に成形する。この金型による成形時に、地模様としてのシボが形成されるとともに、さらに立体マークＭとしてのモデル標章もスポーク部対応部分Ｂに形成される。この３次元形状に成形されたカットピース２２Ｂをハンドル本体に被せて貼り込みを行うから、皺とりのためカットピースを引っ張りながら作業を行なう必要がなく、金型で形成されたモデル標章が立体マークとして高い品質感をもって皮革に表示された革巻きハンドルが得られる。【選択図】図４
2008154932.tif 000002
【特許請求の範囲】
【請求項１】
立体形状を有する製品本体の外表面に皮革を被覆した皮革被覆製品であって、
シート状皮革から打ち抜いたカットピースを、金型を用いて皮革を被覆するべき外表面の主要部の形状に対応する成形部を有する３次元形状に成形するとともに、該成形時に立体マークを形成し、
該３次元形状に成形され立体マークを備えたカットピースを製品本体に被覆して構成されたことを特徴とする皮革被覆製品。
【請求項２】
前記皮革被覆製品がリング部からセンタハブへ向かって延びるスポーク部にかけて皮革を巻きつけた車両用の革巻きハンドルであり、
前記立体マークが前記スポーク部を被覆する領域に形成されていることを特徴とする請求項１に記載の皮革被覆製品。
【請求項３】
立体形状を有する製品本体の外表面に皮革を被覆した皮革被覆製品の製造に用いる金型であって、
皮革を被覆するべき外表面の主要部の形状に対応する３次元形状の雄面を備える第１の型と、前記雄面に対応する雌面を備える第２の型とからなり、
少なくとも第２の型は、立体マークを形成するための差し替え可能のサブ型を備えていることを特徴とする皮革被覆製品の製造に用いる金型。
【発明の詳細な説明】
【技術分野】
【０００１】
本発明は、例えば革巻きハンドルなど製品本体に皮革を被覆した皮革被覆製品に関する。
【背景技術】
【０００２】
商品外観の高級感を得るため、あるいは触れたときの質感や操作性向上のため、表面に皮革を被覆した種々の商品が市場に提供されている。
そして、近時の例として、例えば車両用の革巻きハンドルの需要も年々高まり、乗用車の半数に装着される状況にある。
この革巻きハンドルは、ステアリングシャフトとの結合部となるセンタハブを中心とするリング部芯金と、リング部芯金とセンタハブを接続する複数のスポークとからなる金属芯に、肉付け層として合成樹脂をモールドしてハンドル本体とし、ハンドル本体の一部に皮革を巻きつけてある。
【０００３】
肉付け層は、リング部全周と、リング部からスポークにそって延びる一部にかけて形成され、皮革は当該一部（以下、スポーク部と呼ぶ）を含んで、通常ドライバが掴むことの多い領域に、上下または左右いずれかに分けてそれぞれ巻きつけられている。
このような革巻きハンドルは、例えば特開２００１−５５１５０号公報や特開２００５−２９７９６６号公報に開示されている。
【０００４】
従来の革巻きハンドルの製造、とくに革巻きの加工ステップはおよそ次のように行われている。
まず、なめしおよび着色されてタナーから納入されたシート状皮革にシボ加工を施す。あるいはタナーにおいてシボ加工が施される場合もある。
つぎに、ハンドル巻きつけ用の部品として裁断する前に、シート状皮革のピンホールや、オデキ、元キズ、あるいは最表皮の皺を招くいわゆる銀浮き、さらには塗装欠陥である塗ブツ等の有無をチェックする。そして、これらの欠陥部位を避けて裁断し、シート状のカットピースとする。
【０００５】
このシート状のカットピースを径方向外方からリング部の外周に接着剤を用いて巻きつけながら貼り付けるとともに、リング部の周方向にそった側縁をリング部の内径側で縫製する。
さらに、スポーク部についてもカットピースの対応部分を貼り付け、その側縁をリング部の内径側に続けて縫製する。
また、スポーク部のセンタハブ側端面にカットピースの先端を折り曲げ接着して固定する。
このあと、熱風仕上げを施して革巻き作業を完了し、最後に製品としての最終外観検査が行なわれる。
【０００６】
ところで、上記従来の製造方法では、シート状、すなわち２次元平板状のカットピースを実際には立体形状をもつリング部およびスポーク部に貼り付け、縫製するので、皺を発生させないようにするためカットピースの側縁を引っ張って、立体形状、すなわち３次元形状に沿わせながら縫製を行なわなければならない。これに対して、皮革の伸び、硬度、厚みのバラツキは大きく、上記の作業には経験と勘による熟練が要求される。
【０００７】
実際の作業では、カットピースごとの特性に合わせて片寄せやつま寄せなどの微調整を行なうが、側縁の合わせ部位が不均一になり口開きが生じて、縫製穴の切れや糸切れ、隙間などを招く。
また２次元平板状から３次元形状への加工であるから、手作業による以上どうしても部分的な皺が発生してしまい、これを修正するのに熱風仕上げが必須となる。結局作業が困難となり、場合によっては熱風による修正時に火傷のおそれも小さくない。
【０００８】
さらに、手作業によってカットピースを引っ張りながら貼り付けるので、例えばスポーク部の端面において先端を折り曲げたあとのカットピースの接着代の長さが製品ごとに不同となり、不要部分を接着前に切り落とす作業が加わる。
また、皮革の部位については、脇の下や腹部に相当する部分は柔らか過ぎるため、カットピースに含まないようにシートから裁断しており、歩留まりが低いという問題がある。
【特許文献１】特開２００１−５５１５０号公報
【特許文献２】特開２００５−２９７９６６号公報
【発明の開示】
【発明が解決しようとする課題】
【０００９】
以上が従来の革巻きハンドルの製造面における実態であり、種々の問題は、要するに貼り付け、縫製するカットピースがシート状であるため、カットピースの各部を引張って立体形状をもつリング部やスポーク部の形状に沿わせなければならない点に起因している。
この理由によってまた、商品性向上のためハンドルに巻かれた皮革のスポーク部などに車両のモデル名やシンボルマークなど、地模様とは異なる立体マークを刻印等によって立体表示させようとしても、カットピースがシート状の段階で付したマークは貼り付け作業時の引張によって歪んだり立体感を失ってしまう一方、引張りによって不均一に薄くなっている貼り付け縫製後の皮革に立体マークを形成することは実際上不可能である。
この問題は自動車用の革巻きハンドルに限らず、３次元形状の本体に皮革を被覆した他の製品においても同様である。
したがって本発明は、上記従来の問題点に鑑み、高品質の立体マークが形成表示された皮革被覆製品を提供することを目的とする。
【課題を解決するための手段】
【００１０】
このため本発明は、立体形状を有する製品本体の外表面に皮革を被覆した皮革被覆製品であって、シート状皮革から打ち抜いたカットピースを、金型を用いて皮革を被覆するべき外表面の主要部の形状に対応する成形部を有する３次元形状に成形するとともに、該成形時に同時に立体マークを形成して、該３次元形状に成形され立体マークを備えたカットピースを製品本体に被覆して構成されたものとした。
なお、皮革には、天然皮革だけでなく、合成皮革も含む。
【発明の効果】
【００１１】
本発明によれば、貼り付け時のカットピースを３次元形状に成形し、この成形と同時に立体マークを形成するので、貼り付け作業でカットピースを引っ張る必要がなく、歪みのない高品質の立体マークが皮革に表示された皮革被覆製品となる。
【発明を実施するための最良の形態】
【００１２】
次に本発明の実施の形態を、皮革被覆製品として図１に素材を示す自動車用の革巻きハンドルに適用した例について説明する。
この製品では製品本体として、従来と同様に、ステアリングシャフトとの結合部となるセンタハブ５を中心とするリング部芯金６と、リング部芯金６とセンタハブ５を接続する複数のスポーク７とからなる金属芯４に、肉付け層８として合成樹脂をモールドしてハンドル本体３を構成している。
リング部芯金６に肉付け層８をモールドした部分（以下、リング部１０と呼ぶ）とスポーク７に肉付け層８をモールドした部分（以下、スポーク部１２と呼ぶ）とを含んだハンドル本体３の左右２箇所に破線で示す皮革が巻きつけられ、リング部１０の皮革が巻きつけられない残部は肉付け層８の表面を例えば木目調に塗装してある。
【００１３】
巻きつけられた皮革は、リング部１０の内径側で縫製され、縫製はスポーク部１２の側面へ延びている。
スポーク部１２に巻きつけられた皮革には、その正面部分に立体マークとして当該革巻きハンドルが装着される車両のモデル名標章（後掲の図４、図７参照）が形成表示される。
なお、スポーク７の肉付け層８をモールドしていない部分およびセンタハブ５の部分には、仮想線で示すステアリングパッド２が取り付けられる。
【００１４】
図２は上記革巻きハンドルにおける革巻き加工の概略の流れを示すフローチャートである。
タナーからシート状皮革２０が納入されると、まずステップ１００において、天然傷、塗ブツなどの欠陥の検査を行なう。ここで、欠陥の数や分布など所定の品質レベルに達しないものは除去してタナーへ返却する。
ステップ１０１では、シート状皮革２０から欠陥部を避けてプレス裁断し、図３に示すような所定の輪郭形状のカットピース２２Ａを打ち抜く。輪郭形状についてはあらかじめハンドル本体３の皮革を巻きつけるべき部分の形状に合わせて設定される。
【００１５】
このカットピース２２Ａのプレス裁断時に、後述の縫製穴２４および位置決め穴２５、２６が同時に形成される。位置決め穴２５は、リング部１０の周方向に対応する長手方向の両端に設けられ、位置決め穴２６は、スポーク部１２に対応する部分の端に設けられる。長手方向の両端の位置決め穴２５は、後述する貼り込み時の折り返し線Ｆよりも外側に配置され、スポーク部対応部分の位置決め穴２６は、スポーク部１２のセンタハブ側端面への折り曲げ線Ｇよりも先端側に配置されている。
【００１６】
ステップ１０２において、カットピース２２Ａの長手方向の両端の裏面をスカイビングしてスキ領域Ｓ（後掲の図５参照）を形成する。このスキ領域Ｓは貼り込み時の折り返し線Ｆを挟むように形成される。
このあと、ステップ１０３において、金型の下型３１のガイドピン３３、３４（後掲の図８、図１０参照）に位置決め穴２５、２６を嵌めこんで雄面上にカットピース２２Ａをセットして、下型、上型間の加圧により成形する。
【００１７】
これにより、図４に示すような皮革を被覆するべき外表面の主要部の形状に対応する成形部（Ａ、Ｂ、Ｃ）を有する３次元形状のカットピースが得られる。
Ａはリング部１０の外形側半部に対応する弧状部分と該弧状部分から側縁にかけて平坦に延びる部分とからなるリング部対応部分、Ｂはスポーク部１２に対応するスポーク部対応部分、Ｃはスポーク部のセンタハブ側端面１３に対応する端面対応部分である。成形部は必要に応じてこれらの各対応部分の呼称で識別する。
【００１８】
この成形の際に同時に地模様としてのシボ加工が行なわれるとともに、とくにスポーク部対応部分Ｂには立体マークＭが形成される。ここでは、立体マークＭとして、革巻きハンドルが装着される車両のたとえば「Ｓｕｐｅｒ  Ｅｄｉｔｉｏｎ」の文字からなるモデル名標章が刻印風に形成されている。なお、シボは図示省略している。
また図５に示すように、スキ領域Ｓに折り返し線Ｆとしての線状凹部２７も３次元形状への成形と同時に形成される。
３次元形状に成形されたカットピースは、シート状皮革２０から裁断されたシート状のものと識別するため、以下、カットピース２２Ｂと呼ぶ。
【００１９】
次のステップ１０４では、３次元形状に成形されたカットピース２２Ｂをリング部１０の外方からハンドル本体３に被せて貼り込みを行う。
この際、図６に示すように、カットピース２２Ｂの長手方向の両端は線状凹部２７で裏側へ折り返す。
続いて、ステップ１０５において、カットピース２２Ｂのリング部対応部分Ａの側縁およびこれに続くスポーク部対応部分Ｂの側縁を、縫製穴２４に通した糸で縫製する。
最後に、ステップ１０６において、スポーク部１２のセンタハブ側端面１３にカットピース２２Ｂの端面対応部分Ｃを接着して固定する。
これにより、図７に示すような革巻きハンドルが完成する。
【００２０】
図８〜図１０はカットピースを３次元形状に成形する金型の断面図である。
図８はカットピースの長手方向に対応する縦断面、図９はリング部１０に対応する部分の横断面、図１０はスポーク部１２に対応する部分を通る横断面を示す。
金型３０は、ハンドル本体３側に対応する雄面３２を備える第１の型としての下型３１と、雄面に対向する雌面４２を備える第２の型としての上型４１とからなる。
図８の縦断面における雄面３２の頂点はリング部１０の外径にそったアーチ形状となっている。
【００２１】
上型４１には、後掲の図１０に示すように、スポーク部１２の正面部位対応部分に立体マークを形成するための上サブ型４８が差し替え可能に組みつけられ、その他の領域の雌面４２にはシボ型（シボ面）が形成されている。
なお、シボ型のシボ模様は、リング部１０の周方向における部位、あるいはリング部１０の横断面における周方向部位、さらにはスポーク部１２の立体マーク周辺など、設計要求による任意の部位ごとに異ならせることができる。シボ模様を部位ごとに異ならせる場合、立体マーク形成用と同様にそれぞれに対応させて差し替え可能のサブ型を設定してもよい。
【００２２】
図８に戻って、下型３１には、縦断面における雄面３２の両端に位置決め用のガイドピン３３が設けられている。また、長手方向両端のガイドピン３３より中央側には凸ビード３６が形成されている。凸ビード３６は長手方向に対して直角方向に線状に延びている。
上型４１と下型３１はいずれを固定型または可動型としてもよいが、上型４１には、相対的に下型３１に最接近した最降下位置におけるガイドピン３３付近から下型３１と対向する下端面にかけて、ガイドピン３３との干渉を避けるための逃げ溝４３が設けられている。
図８は、上型が最降下位置にある状態を示している。
なお、理解を容易にするため、カットピース２２Ａは厚肉に描いている。図９、図１０においても同様である。
【００２３】
上型４１の最降下位置において、雄面３２と雌面４２間の間隙はカットピース２２Ａの厚みよりも小さく設定してカットピースを加圧するよう設定される。加圧量（カットピースの厚み−間隙）は設計要求を満足させる成形特性とシボ模様形成が得られるようあらかじめ試行して設定するが、革巻きハンドル用の場合、一般面ではたとえば０．１ｍｍ〜０．５ｍｍ程度とするのが好ましい。
【００２４】
また、図９に示す横断面では、雄面３２において、リング部１０の外径側半部にそう弧状部分３２ａとこれに連なる２つの第１傾斜面３２ｂが成形領域となっており、２つの第１傾斜面３２ｂ、３２ｂが挟む角度は概略２５°〜３０°とするのが好ましい。
図９の（ａ）は、上型４１を下型３１から離間させた状態で下型上にカットピース２２Ａを載置した様子を示し、（ｂ）は上型４１を最降下位置とした状態を示す。
【００２５】
図１０に示す断面では、第１傾斜面３２ｂに連なってさらに挟み角度を大きくして水平方向側へ延ばした第２傾斜面３２ｃと、その先端に形成された第３傾斜面３２ｄまで成形領域に含んでいる。第２傾斜面３２ｃがスポーク部１２の主部に対応し、第３傾斜面３２ｄはスポーク部のセンタハブ側端面１３に対応する。
スポーク部に対応する横断面の両端にも位置決め用のガイドピン３４が設けられている。
【００２６】
第１、第２傾斜面３２ｂ、３２ｃの角度は所要のシボを確実に形成するためのもので、この条件を満たす範囲でできるだけハンドル本体３の形状に近い３次元形状が得られるようにする。なお、とくに第２傾斜面３２ｃは他の部位よりも水平方向に近くなっているうえ比較的平坦であるから、彫りの深い立体マークを形成するのに好都合である。
立体マーク形成用のマーク型面３９を備える下サブ型３８が第２傾斜面３２ｃに臨んで下型３１に嵌めこまれ、マーク型面４９を備える上サブ型４８が下サブ型３８に対向するよう上型４１に嵌め込まれている。
図１０の（ａ）は、上型４１を下型３１から離間させた状態で下型上にカットピース２２Ａを載置した様子を示し、（ｂ）は上型４１を最降下位置とした状態を示す。
上型４１を最降下位置としたときの、下サブ型３８と上サブ型４８間の間隙は０．３〜０．６ｍｍ程度が好ましい。
【００２７】
以上のように構成された金型３０を用いることにより、上述のステップ１０３では、上型４１と下型３１の間でカットピース２２Ａが加圧されて３次元形状に成形されるとともに、同時にシボ模様と立体マークが形成される。
成形後に金型３０から取り出された自由状態のカットピース２２Ｂは、図４に示されるように、リング部対応部分Ａが弧状を呈するとともに、皮革の柔軟性により、スポーク部対応部分Ｂがそれぞれ弧状部分からその内径方向へ延びて上下に重なる形状となっている。
【００２８】
また、スポーク部対応部分Ｂの側縁もリング平面に対して垂直に成形されるとシボが形成できないので、リング部対応部分Ａの第１傾斜面３２ｂが傾斜しているのと同様に、側縁を開き気味に形成する型となる。このため、カットピース２２Ｂのセンタハブ側端面１３に接着される端面対応部分Ｃに皺が発生するような場合には、図１１に示すようなノッチ２９を、カットピース２２Ａの裁断時に予め形成しておくことにより、当該部分の皺発生を防止できる。
ノッチ２９としては図示のＶ字状のほか単なる切込み状としてもよい。このようなノッチを曲面および曲線の形状変化に応じてその数、間隔、大きさを設定することによって、高度な三次元曲面に対応した革貼りを実現する。
さらに、ノッチの加工部位周辺をスカイビングと併用することにより、外観品質を一層向上させることができる。
【００２９】
実施の形態は以上のように構成され、シート状皮革から打ち抜いたカットピース２２Ａを、金型を用いて皮革を被覆するべきハンドル本体の外表面の主要部の形状に対応する成形部を有する３次元形状に成形するとともに、該成形時に同時に立体マークＭを形成して、該３次元形状に成形され立体マークＭを備えたカットピース２２Ｂをハンドル本体２６に被覆して構成された革巻きハンドルとしたので、貼り付け作業でカットピース２２Ｂを引っ張る必要がなく、高品質の立体マークＭが皮革に表示される。
シート状皮革の段階で立体マークを付する場合と比較して、カットピースの引っ張りによる立体マークの歪み等により革巻廃棄処分になる事態も避けられる。
【００３０】
また金型は、３次元形状の雄面を備える下型３１と、雄面に対応する雌面を備える上型４１とからなり、立体マークＭを形成するための下サブ型３８と上サブ型４８を下型３１と上型４１にそれぞれ差し替え可能としているので、あらかじめ設定された複数の標章から革巻きハンドルの装着車両のモデルや種別に応じて選択したサブ型を組み付けることによって、種々の標章を立体マークＭとして皮革に形成表示することができる。
【００３１】
とくに革巻きハンドルにおいては、スポーク部は比較的平坦な領域を有しているから、このスポーク部を被覆する領域に立体マークＭを形成することにより、彫りの深い顕著な立体感を得ることができる。
【００３２】
なお、実施の形態では、立体マークＭとして文字からなる車両のモデル名標章を刻印風に形成した例を示したが、浮き出し状に形成してもよく、また文字のほか図柄やスイッチパターンその他の記号など任意の標章を立体マークＭとすることができる。
また、立体マークＭは革巻きハンドルのスポーク部の正面領域に形成したが、その形成位置は任意である。例えばスポーク部の背面側に製品番号や製造日などを立体マークとして形成してもよく、あるいはリング部に形成してもよい。
【００３３】
実施の形態ではカットピースは側縁にそって縫製穴２４を形成したものとしたが、これに限定されず、あらかじめステッチ加工されたカットピースあるいは木目込み式のカットピースなどについても同様に適用できるものである。
また、立体マークＭを形成するため下型３１と上型４１にそれぞれ下サブ型３８と上サブ型４８とを設けるものとしたが、立体マーク断面における凸部凹部間の高さによっては、ハンドル本体に貼り付けたとき製品の外表面となる面に対応する上型４１に上サブ型４８を設けるだけでもよい。
さらに、上サブ型４８や下サブ型３８は差し替え可能として、種々の標章を選択的に形成できるようにしたが、立体マークが１つの標章に固定される場合には各サブ型を別体とする必要はなく、上型４１や下型３１に直接彫り込んで立体マーク用の型面とすればよい。
【００３４】
さらに、実施の形態は革巻きハンドルについて説明したが、本発明はこれに限定されず、例えばステアリングパッドなど３次元形状の本体に皮革を被覆する種々の皮革被覆製品に適用することができる。
また、皮革としては、天然皮革だけでなく、合成皮革にもそのまま適用可能である。
【図面の簡単な説明】
【００３５】
【図１】実施の形態を適用する自動車用の革巻きハンドルを示す図である。
【図２】革巻き加工の概略の流れを示すフローチャート図である。
【図３】カットピース裁断の説明図である。
【図４】成形されたカットピースを示す図である。
【図５】線状凹部を示す部分断面図である。
【図６】カットピース長手方向両端を折り返した状態を示す部分断面図である。
【図７】革巻きハンドルの完成状態を示す図である。
【図８】カットピース成形用の金型の縦断面図である。
【図９】金型の横断面図である。
【図１０】金型の横断面図である。
【図１１】カットピースのスポーク部対応部分先端形状の他の例を示す図である。
【符号の説明】
【００３６】
２    ステアリングパッド
３    ハンドル本体
４    金属芯
５    センタハブ
６    リング部芯金
７    スポーク
８    肉付け層
１０    リング部
１２    スポーク部
１３    センタハブ側端面
２０    シート状皮革
２２Ａ、２２Ｂ    カットピース
２４    縫製穴
２６、２６    位置決め穴
２７    線状凹部
３０    金型
３１    下型
３２    雄面
３２ａ    弧状部分
３２ｂ    第１傾斜面
３２ｃ    第２傾斜面
３２ｄ    第３傾斜面
３３、３４    ガイドピン
３６    凸ビード
３８    下サブ型
３９、４９    マーク型面
４１    上型
４２    雌面
４３、４４    逃げ溝
４８    上サブ型
Ａ    リング部対応部分
Ｂ    スポーク部対応部分
Ｃ    端面対応部分
Ｆ    折り返し線
Ｇ    折り曲げ線
Ｍ    立体マーク
Ｓ    スキ領域
【図１】
2008154932.tif 000003
【図２】
2008154932.tif 000004
【図３】
2008154932.tif 000005
【図４】
2008154932.tif 000006
【図５】
2008154932.tif 000007
【図６】
2008154932.tif 000008
【図７】
2008154932.tif 000009
【図８】
2008154932.tif 000010
【図９】
2008154932.tif 000011
【図１０】
2008154932.tif 000012
【図１１】
2008154932.tif 000013